(57)【要約】【課題】、表示された文字に基づいて所望のアプリケーションを起動可能な電子機器及びアプリケーションの起動方法を提供する。【解決手段】電子機器は、文字入力領域１００に文字入力が可能なアプリケーションを起動する起動部４５ａと、アプリケーションに対応する所定の文字列を記憶するメモリ４４と、文字を入力するための操作部１１と、操作部１１により入力された単数又は複数の入力文字を入力文字表示領域１１０に表示すると共に、メモリ４４に記憶された所定の文字列を変換候補表示領域１２０に表示する表示部２１と、変換候補表示領域１２０に表示された所定の文字列が操作部１１により選択されると、選択された所定の文字列に対応するアプリケーションを起動部４５ａにより起動し、アプリケーションの文字入力領域１００に入力文字を入力させる制御部４５と、を備える。【選択図】図４
2011095817.tif 000002
【特許請求の範囲】
【請求項１】
文字入力領域に文字入力が可能なアプリケーションを起動する起動部と、
前記アプリケーションに対応する所定の文字列を記憶する記憶部と、
文字を入力するための操作部と、
前記操作部により入力された単数又は複数の入力文字を第１表示領域に表示すると共に、前記記憶部に記憶された前記所定の文字列を第２表示領域に表示する表示部と、
前記第２表示領域に表示された前記所定の文字列が前記操作部により選択されると、選択された前記所定の文字列に対応するアプリケーションを前記起動部により起動し、前記アプリケーションの前記文字入力領域に前記入力文字を入力させる制御部と、
を備えることを特徴とする電子機器。
【請求項２】
前記操作部は、変換不能な記号が入力可能であり、
前記制御部は、前記操作部により前記入力文字が入力された後に前記変換不能な記号が入力されたことに基づいて、前記所定の文字列を前記第２表示領域に表示させることを特徴とする請求項１に記載の電子機器。
【請求項３】
複数の前記入力文字は、第１の文字列及び第２の文字列を含むことを特徴とする請求項１に記載の電子機器。
【請求項４】
前記制御部は、前記所定の文字列に対応するアプリケーションとして、前記第１表示領域に入力された前記入力文字に基づいて検索を行う検索アプリケーションを前記起動部により起動させた場合に、当該検索アプリケーションに対応する画面に表示される移動可能な操作カーソルを前記表示部の所定位置に表示させることを特徴とする請求項１に記載の電子機器。
【請求項５】
前記記憶部は、前記操作部により入力された前記入力文字と、当該入力文字が入力されたときに前記起動部により起動された前記アプリケーションとを関連付けて記憶し、
前記制御部は、前記操作部により入力文字が入力される場合に、前記記憶部に当該入力文字と関連付けて記憶される前記アプリケーションに対応する前記所定の文字列を前記第２表示領域に表示させることを特徴とする請求項１に記載の電子機器。
【請求項６】
前記操作部により入力された前記入力文字について解析を行う解析部をさらに備え、
前記制御部は、前記解析部による解析結果に基づいて、前記第２表示領域に表示される前記所定の文字列の表示順序を変更することを特徴とする請求項１に記載の電子機器。
【請求項７】
前記記憶部は、前記起動部により起動されたアプリケーション毎の起動回数をそれぞれ記憶し、
前記制御部は、前記記憶部に記憶されるアプリケーション毎の前記起動回数に基づいて、前記起動回数が多い順に前記所定の文字列を前記第２表示領域に表示させることを特徴とする請求項１に記載の電子機器。
【請求項８】
前記第２表示領域には、前記所定の文字列及び前記第１表示領域に表示される前記入力文字を変換した変換候補文字が表示され、
前記所定の文字列と前記変換候補文字とは、異なる態様で表示されることを特徴とする請求項１に記載の電子機器。
【請求項９】
前記制御部は、初期画面を前記表示部に表示させている状態において前記操作部により前記入力文字が入力される場合に、前記所定の文字列を前記第２表示領域に表示させることを特徴とする請求項１に記載の電子機器。
【請求項１０】
文字入力領域に文字入力が可能なアプリケーションに対応する所定の文字列を記憶する工程と、
単数又は複数の入力文字を入力する工程と、
入力される前記入力文字を第１表示領域に表示すると共に、記憶される前記所定の文字列を第２表示領域に表示する工程と、
前記第２表示領域に表示される前記所定の文字列が選択されると、選択された前記所定の文字列に対応するアプリケーションを起動し、前記アプリケーションの前記文字入力領域に前記入力文字を入力させる工程と、
を行うことを特徴とするアプリケーションの起動方法。
【発明の詳細な説明】
【技術分野】
【０００１】
本発明は、文字を入力可能なアプリケーションを備える電子機器及びアプリケーションの起動方法に関する。
【背景技術】
【０００２】
携帯電話機等を始めとする電子機器には、文字を入力する操作部と、操作部により入力された文字を表示する表示部と、文字を表示した状態で文字入力画面を有する所望のアプリケーションを選択すると、当該アプリケーションの文字入力画面に文字を表示させる制御部と、を備えるものがある（特許文献１を参照）。
【先行技術文献】
【特許文献】
【０００３】
【特許文献１】特開２００９−３１９７１号公報
【発明の概要】
【発明が解決しようとする課題】
【０００４】
しかしながら、上記の電子機器においては、複数のアプリケーションの中からユーザが所望する１つのアプリケーションを選択する必要があった。また、上記の電子機器においては、ユーザにより選択可能なアプリケーションが限られていた。
【０００５】
本発明は、表示された文字に基づいて所望のアプリケーションを起動可能な電子機器及びアプリケーションの起動方法を提供することを目的とする。
【課題を解決するための手段】
【０００６】
本発明に係る電子機器は、文字入力領域に文字入力が可能なアプリケーションを起動する起動部と、前記アプリケーションに対応する所定の文字列を記憶する記憶部と、文字を入力するための操作部と、前記操作部により入力された単数又は複数の入力文字を第１表示領域に表示すると共に、前記記憶部に記憶された前記所定の文字列を第２表示領域に表示する表示部と、前記第２表示領域に表示された前記所定の文字列が前記操作部により選択されると、選択された前記所定の文字列に対応するアプリケーションを前記起動部により起動し、前記アプリケーションの前記文字入力領域に前記入力文字を入力させる制御部と、を備えることを特徴とする。
【０００７】
また、前記操作部は、変換不能な記号が入力可能であり、前記制御部は、前記操作部により前記入力文字が入力された後に前記変換不能な記号が入力されたことに基づいて、前記所定の文字列を前記第２表示領域に表示させることが好ましい。
【０００８】
また、複数の前記入力文字は、第１の文字列及び第２の文字列を含むことが好ましい。
【０００９】
また、前記制御部は、前記所定の文字列に対応するアプリケーションとして、前記第１表示領域に入力された前記入力文字に基づいて検索を行う検索アプリケーションを前記起動部により起動させた場合に、当該検索アプリケーションに対応する画面に表示される移動可能な操作カーソルを前記表示部の所定位置に表示させることが好ましい。
【００１０】
また、前記記憶部は、前記操作部により入力された前記入力文字と、当該入力文字が入力されたときに前記起動部により起動された前記アプリケーションとを関連付けて記憶し、前記制御部は、前記操作部により入力文字が入力される場合に、前記記憶部に当該入力文字と関連付けて記憶される前記アプリケーションに対応する前記所定の文字列を前記第２表示領域に表示させることが好ましい。
【００１１】
また、本発明に係る電子機器は、前記操作部により入力された前記入力文字について解析を行う解析部をさらに備え、前記制御部は、前記解析部による解析結果に基づいて、前記第２表示領域に表示される前記所定の文字列の表示順序を変更することが好ましい。
【００１２】
また、前記記憶部は、前記起動部により起動されたアプリケーション毎の起動回数をそれぞれ記憶し、前記制御部は、前記記憶部に記憶されるアプリケーション毎の前記起動回数に基づいて、前記起動回数が多い順に前記所定の文字列を前記第２表示領域に表示させることが好ましい。
【００１３】
また、前記第２表示領域には、前記所定の文字列及び前記第１表示領域に表示される前記入力文字を変換した変換候補文字が表示され、前記所定の文字列と前記変換候補文字とは、異なる態様で表示されることが好ましい。
【００１４】
また、前記制御部は、初期画面を前記表示部に表示させている状態において前記操作部により前記入力文字が入力される場合に、前記所定の文字列を前記第２表示領域に表示させることが好ましい。
【００１５】
また、本発明に係るアプリケーションの起動方法は、文字入力領域に文字入力が可能なアプリケーションに対応する所定の文字列を記憶する工程と、単数又は複数の入力文字を入力する工程と、入力される前記入力文字を第１表示領域に表示すると共に、記憶される前記所定の文字列を第２表示領域に表示する工程と、前記第２表示領域に表示される前記所定の文字列が選択されると、選択された前記所定の文字列に対応するアプリケーションを起動し、前記アプリケーションの前記文字入力領域に前記入力文字を入力させる工程と、を行うことを特徴とする。
【発明の効果】
【００１６】
本発明によれば、表示された文字に基づいて所望のアプリケーションを起動することができる。
【図面の簡単な説明】
【００１７】
【図１】本発明の電子機器の第１実施形態に係る携帯電話機の外観斜視図を示す。
【図２】携帯電話機の機能を示す機能ブロック図である。
【図３】キーアサインについての説明に供する図である。
【図４】第１実施形態に係る携帯電話機が機能を発揮するための構成を示す機能ブロック図である。
【図５】待受画面が表示部に表示されている場合に文字が入力されるときの表示態様の変化を示す図である。
【図６】変換データベースを示す図である。
【図７】待受画面が表示部に表示されている場合に文字が入力され、その後に新たな文字がさらに入力されたときの表示態様の変化を示す図である。
【図８】第２実施形態に係る携帯電話機が機能を発揮するための構成を示す機能ブロック図である。
【図９】所定の文字列の表示順序を決定する表である。
【発明を実施するための形態】
【００１８】
＜第１実施形態＞
以下、本発明の実施形態について説明する。図１は、本発明の電子機器の第１実施形態に係る携帯電話機１の外観斜視図を示す。なお、図１は、いわゆる折り畳み型の携帯電話機の形態を示しているが、本発明に係る携帯電話機の形態としては特にこれに限られない。例えば、両筐体を重ね合わせた状態から一方の筐体を一方向にスライドさせるようにしたスライド式や、重ね合せ方向に沿う軸線を中心に一方の筐体を回転させるようにした回転式（ターンタイプ）や、操作部と表示部とが１つの筐体に配置され、連結部を有さない形式（ストレートタイプ、フリップタイプ）でもよい。
【００１９】
携帯電話機１は、操作部側筐体部２と、表示部側筐体部３とを備える。操作部側筐体部２は、表面部１０に、操作部１１と、携帯電話機１の使用者が通話時に発した音声を入力するマイク１２とを備える。操作部１１は、各種設定や電話帳機能やメール機能等の各種機能を作動させるための機能設定操作キー１３と、電話番号の数字やメール等の文字等を入力するための入力操作キー１４と、各種操作における決定やスクロール等を行う決定操作キー１５とから構成されている。
【００２０】
また、表示部側筐体部３は、表面部２０に、各種情報を表示する表示部２１と、通話の相手側の音声を出力するスピーカ２２とを備える。
【００２１】
また、操作部側筐体部２の上端部と表示部側筐体部３の下端部とは、ヒンジ機構４を介して連結されている。また、携帯電話機１は、ヒンジ機構４を介して連結された操作部側筐体部２と表示部側筐体部３とを相対的に回転することにより、操作部側筐体部２と表示部側筐体部３とを互いに開いた状態（開放状態）にしたり、操作部側筐体部２と表示部側筐体部３とを折り畳んだ状態（折畳み状態）にしたりできる。
【００２２】
また、図２は、携帯電話機１の機能を示す機能ブロック図である。携帯電話機１は、図２に示すように、操作部１１と、マイク１２と、メインアンテナ４０と、ＲＦ回路部４１と、画像処理部４２と、音声処理部４３と、メモリ４４（記憶部）と、制御部４５と、表示部２１と、スピーカ２２と、ドライバＩＣ２３とを操作部側筐体部２又は表示部側筐体部３に備える。
【００２３】
メインアンテナ４０は、所定の使用周波数帯（例えば、８００ＭＨｚ）で基地局等の外部装置と通信を行う構成である。なお、本実施形態では、所定の使用周波数帯として、８００ＭＨｚとしたが、これ以外の周波数帯であってもよい。
【００２４】
ＲＦ回路部４１は、メインアンテナ４０によって受信した信号を復調処理し、処理後の信号を制御部４５に供給する。そして、制御部４５から供給された信号を変調処理し、メインアンテナ４０を介して外部装置に送信する。また、その一方で、メインアンテナ４０によって受信している信号の強度を制御部４５に通知する。
【００２５】
画像処理部４２は、制御部４５の制御にしたがって、所定の画像処理を行い、処理後の画像データをドライバＩＣ２３に出力する。ドライバＩＣ２３は、画像処理部４２から供給された画像データをフレームメモリに蓄え、所定のタイミングで表示部２１に出力する。
【００２６】
音声処理部４３は、制御部４５の制御にしたがって、ＲＦ回路部４１から供給された信号に対して所定の音声処理を行い、処理後の信号をスピーカ２２に出力する。スピーカ２２は、音声処理部４３から供給された信号を外部に出力する。
【００２７】
また、音声処理部４３は、制御部４５の制御にしたがって、マイク１２から入力された信号を処理し、処理後の信号をＲＦ回路部４１に出力する。ＲＦ回路部４１は、音声処理部４３から供給された信号に所定の処理を行い、処理後の信号をメインアンテナ４０に出力する。
【００２８】
メモリ４４は、例えば、ワーキングメモリを含み、制御部４５による演算処理に利用される。また、メモリ４４には、複数のアプリケーションや当該アプリケーションが必要とする各種のテーブル等が記憶されている。また、メモリ４４は、着脱可能な外部メモリを兼ねていてもよい。
【００２９】
制御部４５は、携帯電話機１の全体を制御しており、中央処理装置（ＣＰＵ）等を用いて構成される。ここで、操作部１１によるキー操作に応じた制御部４５の制御動作について説明する。制御部４５は、原則的に現在アクティブに起動されているアプリケーションに応じて、操作部１１を構成する各キー（機能設定操作キー１３、入力操作キー１４及び決定操作キー１５）に割り当てる記号や機能を変化させる。
【００３０】
具体的には、操作部１１は、いずれかのキーが押下されたときに、当該キーの位置情報（例えば、図３（ａ）に示すように、入力操作キー１４の第２行左列のキー（「１」と「あ」が表面に印刷されているキー）が押下された場合には、（Ｘ２、Ｙ１）なる位置情報）を制御部４５に送信する。制御部４５は、メモリ４４にアクセスして、現在アクティブになっているアプリケーションに対応するキーアサインテーブルを参照し、操作部１１から送信されてきた位置情報から割り当てられている記号や機能の処理を実行する。例えば、メモリ４４には、図３（ｂ）〜図３（ｄ）に示すように、複数のキーアサインテーブルが格納されている。なお、図３（ｂ）は、電話発信を行う際に利用されるテーブルであり、図３（ｃ）は、メモ帳アプリケーションやメールアプリケーションにおいて利用されるテーブルであり、図３（ｄ）は、テレビアプリケーションにおいてチャンネルを変更する際に利用されるテーブルである。
【００３１】
なお、記号の処理の実行とは、例えば、現在アクティブになっているアプリケーションがメモ帳アプリケーションの場合には、「１」や「あ」を表示部２１に表示することを意味している。また、機能の処理の実行とは、例えば、現在アクティブになっているアプリケーションがテレビの場合には、表示チャンネルを１ｃｈに設定することを意味している。
【００３２】
また、メモリ４４には、複数のキーアサインテーブルが格納されており、制御部４５は、アプリケーションに応じて、参照するキーアサインテーブルを切り替え、操作部１１から送信されてくるキーの位置情報に基づいて所定のキーアサインテーブルを参照して、所定の処理を実行する。
【００３３】
このように構成される携帯電話機１は、表示された文字に基づいて所望のアプリケーションを起動可能な機能を有する。
【００３４】
以下に、携帯電話機１に係る上記機能を発揮するための構成と動作について詳述する。
先ず、本実施形態に係る携帯電話機１の上記機能を発揮するための構成について、図４を参照しながら説明する。図４は、第１実施形態に係る携帯電話機１が上記機能を発揮するための構成を示す機能ブロック図である。
【００３５】
携帯電話機１は、表示された文字に基づいて所望のアプリケーションを起動可能な機能を発揮するために、起動部４５ａと、メモリ４４と、操作部１１と、表示部２１と、制御部４５とを備える。
【００３６】
起動部４５ａは、文字入力領域１００に文字入力が可能なアプリケーションを起動する。このアプリケーションとしては、例えば、メールアプリケーション、インターネット閲覧アプリケーション、辞書検索アプリケーション、メモ帳アプリケーション、テレビアプリケーション、アドレス帳アプリケーション及びスケジュール帳アプリケーション等が挙げられる。また、文字入力領域１００は、例えば、メールアプリケーションの場合、メール件名が入力される領域（件名入力領域１００ａ：図５（ｅ）参照）や、メール本文が入力される領域（本文入力領域１００ｂ：図５（ｅ）参照）である。
【００３７】
メモリ４４は、アプリケーションに対応する所定の文字列を記憶する。所定の文字列は、後述する文字に基づいてアプリケーションを実行させるための文字列である。所定の文字列は、例えば、「Ｅメール（電子メール）件名」、「Ｅメール本文」、「インターネット検索」及び「スケジュールアラーム」等である。
【００３８】
操作部１１は、文字を入力するためのものである。文字は、数字等も含まれるものであり、単数若しくは複数の文字、単数若しくは複数の数字、又は文字と数字との組み合わせからなる。
【００３９】
表示部２１は、操作部１１により入力された単数又は複数の文字を第１表示領域（以下、「入力文字表示領域」という。）１１０に表示すると共に、メモリ４４に記憶された所定の文字列を第２表示領域（以下、「変換候補表示領域」という。）１２０に表示する。入力文字表示領域１１０は、操作部１１により入力された入力文字が表示される領域である。変換候補表示領域１２０は、例えば、入力文字表示領域１１０の下方に配置され、単数又は複数の所定の文字列が表示される。
【００４０】
制御部４５は、変換候補表示領域１２０に表示された所定の文字列が操作部１１により選択されると、選択された所定の文字列に対応するアプリケーションを起動部４５ａにより起動し、アプリケーションの文字入力領域１００に入力文字を入力させる。
【００４１】
したがって、携帯電話機１は、変換候補表示領域１２０に表示された所定の文字列を操作部１１により選択することにより、選択された所定の文字列に対応するアプリケーションを起動させるので、表示された入力文字に基づいて所望のアプリケーションを起動することができる。
【００４２】
また、操作部１１は、変換不能な記号を入力可能とする。変換不能な記号とは、例えば、スペース、シャープ（＃）及びアスタリスク（＊）等の、ひらがな、カタカナ、漢字、小文字、大文字等に変換することができないように規定されている記号のことである。
【００４３】
制御部４５は、操作部１１により入力文字が入力された後に変換不能な記号が入力されたことに基づいて、所定の文字列を変換候補表示領域１２０に表示させる。すなわち、制御部４５は、操作部１１により、入力文字の後に変換不能な記号が入力された場合には、メモリ４４に記憶される所定の文字列を変換候補表示領域１２０に表示させる。
【００４４】
したがって、携帯電話機１は、変換不能な記号が表示部２１に表示されること（操作部１１により入力されること）に基づいて、所定の文字列を変換候補表示領域１２０に表示させることができる。
【００４５】
また、複数の入力文字は、第１の文字列及び第２の文字列を含む。第１の文字列及び第２の文字列は、それぞれ文字や数字等が複数からなるものである。
【００４６】
複数の入力文字として第１の文字列及び第２の文字列が入力される場合は、例えば、インターネット閲覧アプリケーションを利用して電車の乗換案内を検索するときに利用される。より具体的な一例としては、操作部１１により、第１の文字列として「市が尾」が入力され、第２の文字列として「新宿」が入力され、変換候補表示領域１２０に表示される「乗換案内」が選択される場合、携帯電話機１は、乗換案内サイトに接続されて、市が尾駅から新宿駅までの乗換案内を表示部２１に表示させる。なお、乗換案内を検索させる場合、制御部４５は、最初に入力される第１の文字列を出発駅と判断し、第１の文字列の後に入力される第２の文字列を到着駅と判断すればよい。
【００４７】
したがって、携帯電話機１は、入力文字が第１の文字列と第２の文字列とを含む場合でも、変換候補表示領域１２０に表示された所定の文字列を操作部１１により選択することにより、選択された所定の文字列に対応するアプリケーションを起動させるので、表示部２１に表示された入力文字に基づいて所望のアプリケーションを起動することができる。
【００４８】
また、制御部４５は、所定の文字列に対応するアプリケーションとして入力文字表示領域１１０に入力された文字に基づいて検索を行う検索アプリケーションを起動部４５ａにより起動させた場合に、当該検索アプリケーションに対応する画面に表示される移動可能な操作カーソルを、検索を実行させる所定位置に位置させることができる。
【００４９】
操作カーソルとは、操作部１１（例えば、決定操作キー１５：図１参照）が操作されることにより表示部２１の画面を移動すると共に、その画面内において操作が行われる場所を示す印のことである。
【００５０】
検索を実行させる操作位置とは、インターネット閲覧アプリケーションが起動されて所定の語句を検索する場合には検索を行うためのボタン（表示部２１に表示されたアイコン）の位置である。この例示の場合において、制御部４５は、検索を行うためのボタンと操作カーソルとを重ねて表示部２１に表示させるので、例えば、所定の語句の検索実行を行うために決定操作キー１５がユーザにより押下されるのみで、検索を実行させる。すなわち、ユーザは、決定操作キー１５を操作することにより操作カーソルを上下に移動させて、操作カーソルと検索ボタンとを重ねる必要がない。
【００５１】
したがって、携帯電話機１は、表示部２１の検索を実行させる位置（例えば、検索ボタン）に操作カーソルを合わせる操作をユーザに行わせる必要がないので、ユーザの操作の手間を省くことができる。
【００５２】
また、メモリ４４は、操作部１１により入力された入力文字と、当該入力文字が入力されたときに起動部４５ａにより起動されたアプリケーションとを関連付けて記憶する。例えば、操作部１１により入力文字として「今から帰る」と入力されたときに、起動部４５ａによりメールアプリケーションが起動された場合、メモリ４４は、「今から帰る」という入力文字とメールアプリケーションとを関連付けて記憶する。
【００５３】
制御部４５は、操作部１１により入力文字が入力される場合に、メモリ４４に当該入力文字と関連付けて記憶されるアプリケーションに対応する所定の文字列を変換候補表示領域１２０に表示させる。すなわち、メモリ４４に記憶された入力文字と同一の入力文字が操作部１１により入力された場合、制御部４５は、この入力文字と関連付けてメモリ４４に記憶されるアプリケーションに対応する所定の文字列を変換候補表示領域１２０に表示する。例えば、「今から帰る」という入力文字とメールアプリケーションとを関連付けてメモリ４４に記憶されている場合において、操作部１１により「今から帰る」という入力文字が入力されると、制御部４５は、メールアプリケーションに対応する「Ｅメール件名」等の所定の文字列を変換候補表示領域１２０に表示させる。
【００５４】
したがって、携帯電話機１は、所望のアプリケーションを起動するために、表示部２１に表示された入力文字に基づいて、所定の文字列を変換候補表示領域１２０に表示させることができる。
なお、メモリ４４に記憶された入力文字と操作部１１により入力された入力文字とが完全に一致しなくとも、例えば、形態素解析による入力文字の解析結果に基づいて、メモリ４４に記憶された入力文字と操作部１１により入力された入力文字との意味が一致していると判断することができる場合には、意味において操作部１１により入力された入力文字と一致すると判断された、メモリ４４に記憶された入力文字に関連付けられた所定の文字列を変換候補表示領域１２０に表示させる。
【００５５】
また、変換候補表示領域１２０には、所定の文字列及び入力文字表示領域１１０に表示される入力文字を変換した変換候補文字が表示される。所定の文字列と変換候補文字とは、異なる態様で表示される。
【００５６】
変換候補文字は、操作部１１により入力された入力文字を予測変換するために表示される文字である。例えば、変換候補文字は、操作部１１により「あい」と入力された場合、予測変換するために変換候補表示領域１２０に表示される「愛」、「相」、「会い」、「逢い」及び「阿井」等の文字である（図５（ｂ）参照）。変換候補表示領域１２０に表示される単数又は複数の変換候補文字のうち１つの変換候補文字が操作部１１の操作に基づいて選択されることにより、入力文字表示領域１１０に表示される入力文字は、選択された変換候補文字に置換される。
【００５７】
したがって、携帯電話機１は、変換候補表示領域１２０に表示される変換候補文字と所定の文字列との表示態様を異ならせるので、変換候補文字が変換候補表示領域１２０に表示され、又は所定の文字列が変換候補表示領域１２０に表示されていることをユーザに示すことができる。
【００５８】
また、制御部４５は、初期画面（待受画面）を表示部２１に表示させている状態において操作部１１により入力文字が入力される場合に、所定の文字列を変換候補表示領域１２０に表示させる。初期画面（待受画面）とは、電話着信やメール着信等を待ち受けているとき、及びアプリケーションの起動を待ち受けているときに表示部２１に表示される画面のことである。
したがって、携帯電話機１は、初期画面が表示部２１に表示されているときに入力文字が入力され、さらに変換候補表示領域１２０に表示された所定の文字列を操作部１１により選択することにより、選択された所定の文字列に対応するアプリケーションを起動させるので、表示部２１に表示された入力文字に基づいて所望のアプリケーションを起動することができる。
【００５９】
次に、本実施形態の携帯電話機１の動作について説明する。まず、待受画面が表示部２１に表示されている場合に入力文字が入力されたときの動作について説明する。図５は、待受画面が表示部２１に表示されている場合に入力文字が入力されるときの表示態様の変化を示す図である。図６は、変換データベースを示す図である。
【００６０】
まず、待受画面が表示部２１に表示されている状態（図５（ａ）参照）において、操作部１１（テンキー）が操作されることにより入力文字として「今から帰る」が入力された場合、制御部４５は、表示部２１の入力文字表示領域１１０に入力文字「今から帰る」を表示させる（図５（ｂ）参照）。
【００６１】
次に、操作部１１が操作されることにより（例えば、決定操作キー１５（図１参照）を構成する右キー）、変換不能な記号（スペース）が入力された場合、制御部４５は、「今から帰る」及びスペース記号を入力文字表示領域１１０に表示させると共に、所定の文字列として「Ｅメール件名」、「Ｅメール本文」、「ＳＭＳメール本文」、「インターネット検索」及び「スケジュールアラーム」を変換候補表示領域１２０に表示させる（図５（ｃ）参照）。なお、ＳＭＳ（Ｓｈｏｒｔ  Ｍｅｓｓａｇｅ  Ｓｅｒｖｉｃｅ）メールとは、電話番号により送信相手を特定し、短いメッセージ（数十文字程度）によるメールのことである。
【００６２】
次に、操作部１１が操作されることにより（例えば、決定操作キー１５を構成する下キー）、所定の文字列として「Ｅメール件名」が選択された（図５（ｄ）参照）場合、制御部４５は、「Ｅメール件名」に対応するメールアプリケーションを起動部４５ａにより起動させて、入力文字「今から帰る」をメールアプリケーションの件名入力領域１００ａに入力させる（図５（ｅ）参照）。
【００６３】
なお、制御部４５は、起動部４５ａによりメールアプリケーションを起動させる場合、メモリ４４に記憶されるデータベースからメールの本文となる定型句を読み出して、メールアプリケーションの本文入力領域１００ｂに入力させてもよい。
【００６４】
具体的には、図６に例示するように、データベース（かんたんメールＤＢ）には、メール件名としての定型句「今から帰る」（メール件名定型句）と、メール本文としての定型句「今から帰るので３０分以内には家につきます。」（メール本文定型句）とを関連付けて登録しておく。制御部４５は、操作部１１により所定の文字列として「Ｅメール件名」が選択された場合、メモリ４４に記憶されたデータベースを参照し、入力文字表示領域１１０に表示されている入力文字に一致するメール件名定型句が存在するか否かを判断する。制御部４５は、メール件名定型句の中に入力文字と一致するものがあると判断した場合、当該メール件名定型句に関連付けられたメール本文定型句をデータベースから読み出す。さらに、制御部４５は、起動されるメールアプリケーションの件名入力領域１００ａに入力文字を入力させ、メールアプリケーションの本文入力領域１００ｂにデータベースから読み出されたメール本文定型句を入力させる。
【００６５】
次に、待受画面が表示部２１に表示されている場合に入力文字が入力され、その後、さらに文字が入力されたときの動作について説明する。図７は、待受画面が表示部２１に表示されている場合に入力文字が入力され、その後に新たな文字が入力されたときの表示態様の変化を示す図である。
【００６６】
まず、待受画面が表示部２１に表示されている状態（図７（ａ）参照）において、操作部１１（テンキー）が操作されることにより、入力文字として「今から帰る」が入力された場合、制御部４５は、入力文字表示領域１１０に入力文字「今から帰る」を表示させる（図７（ｂ）参照）。
【００６７】
次に、操作部１１（例えば、決定操作キー１５（図１参照）を構成する右キー）が操作されることにより変換不能な記号（スペース）が入力された場合、制御部４５は、「今から帰る」及びスペース記号を入力文字表示領域１１０に表示させると共に、所定の文字列として「Ｅメール件名」、「Ｅメール本文」、「ＳＭＳメール件名」、「インターネット検索」及び「スケジュールアラーム」を変換候補表示領域１２０に表示させるように制御する（図７（ｃ）参照）。
【００６８】
次に、操作部１１が操作されることにより、さらに新たな文字「え」が入力される。この新たな文字は、所望のアプリケーションに対応する所定の文字列の先頭の文字である。すなわち、新たな文字は、変換候補表示領域１２０に表示されている複数の所定の文字列の中から、操作部１１により選択される所定の文字列の先頭の文字である。例えば、図７（ｃ）の変換候補表示領域１２０に表示される所定の文字列「Ｅメール件名」、「Ｅメール本文」、「ＳＭＳメール件名」、「インターネット検索」及び「スケジュールアラーム」の中から「ＳＭＳメール件名」を選択する場合、操作部１１により「え」を入力させる。メモリ４４には、所定の文字列と、その所定の文字列の先頭の文字（先頭文字）とを対応付けたテーブルが記憶されている。制御部４５は、変換不能な記号の後に新たな文字が入力された場合、メモリ４４に記憶されたテーブルを参照して、先頭文字と新たな文字とが一致するか否かを判断する。制御部４５は、テーブルに格納される先頭文字の中に新たな文字と一致するものがあると判断した場合、当該先頭文字に対応する所定の文字列を他の文字列よりも順位を優先させて変換候補表示領域１２０に表示させる。例えば、図７（ｄ）に示すように、操作部１１により新たな文字として「え」が入力される場合、制御部４５は、所定の文字列「ＳＭＳメール件名」の先頭文字「え」と、新たな文字「え」とが一致すると判断して、所定の文字列「ＳＭＳメール件名」を変換候補表示領域１２０内の先頭に表示する。
【００６９】
次に、操作部１１が操作されることにより、所定の文字列として「ＳＭＳメール件名」が選択された場合、制御部４５は、「ＳＭＳメール件名」に対応するＳＭＳメールアプリケーションを起動部４５ａにより起動させて、入力文字「今から帰る」をＳＭＳメールアプリケーションの件名入力領域１００ａ（文字入力領域１００）に入力させる（図７（ｅ）参照）。
【００７０】
＜第２実施形態＞
次に、第２実施形態について説明する。図８は、第２実施形態に係る携帯電話機１が機能を発揮するための構成を示す機能ブロック図である。
【００７１】
携帯電話機１は、解析部４５ｂをさらに備える。解析部４５ｂは、操作部１１により入力された入力文字について解析を行う。例えば、解析部４５ｂは、入力文字が単語のみから構成されているか、入力文字が１文から構成されているか、入力文字の中に文章の改行を表す改行記号が含まれるか、入力文字の中に時刻（数字）が含まれるか、入力文字の中にスペース記号が含まれるか、入力文字の中に２つ以上の句点（。）が含まれるか等の解析を行う。
【００７２】
制御部４５は、解析部４５ｂによる解析結果に基づいて、変換候補表示領域１２０に表示される所定の文字列の表示順序を変更する。例えば、解析部４５ｂにより、入力文字が単語のみから構成されていると解析された場合、制御部４５は、図９に例示する表を参照して、変換候補表示領域１２０に表示される所定の文字列を「インターネット検索」、「漢字チェック」、「辞書」及び「Ｅメール件名」の順に並べ替える。
【００７３】
なお、図９は、所定の文字列の表示順序を決定する表である。図９に示す表は、解析部４５ｂの解析結果に基づいて、複数の所定の文字列が変換候補表示領域１２０に表示されるときの順序を決定するものである。表に記載される数字は、表示順位を表す。例えば、入力文字の中に句点（。）が２つ以上ある場合、表示順位の１位が「Ｅメール本文」であり、表示順位の２位が「メモ」であり、表示順位の３位が「スケジュール」なので、制御部４５は、所定の文字列を「Ｅメール本文」、「メモ帳」及び「スケジュール帳」の順に変換候補表示領域１２０に表示させる。
【００７４】
したがって、携帯電話機１は、解析部４５ｂによる解析結果に基づいて、変換候補表示領域１２０に表示される所定の文字列の表示順序を変換するので、所望のアプリケーションに対応する所定の文字列を他の文字列よりも優先させて変換候補表示領域１２０に表示させることができる。
【００７５】
＜第３実施形態＞
次に、第３実施形態について説明する。第３実施形態に係る携帯電話機１は、図４に示す機能ブロックと同じ構成を有する。
【００７６】
メモリ４４は、起動部４５ａにより起動されたアプリケーション毎の起動回数をそれぞれ記憶する。すなわち、制御部４５は、起動部４５ａにより各アプリケーションを起動させる度に、メモリ４４に記憶される各アプリケーションの起動回数を表す変数を１増加させる（インクリメントを行う）。
【００７７】
制御部４５は、メモリ４４に記憶されるアプリケーション毎の起動回数に基づいて、起動回数が多い順に所定の文字列を変換候補表示領域１２０に表示させる。すなわち、制御部４５は、変換候補表示領域１２０に所定の文字列を表示させる場合、メモリ４４に記憶される各アプリケーションの起動回数を表す変数を参照し、変数が大きいアプリケーションに対応する所定の文字列を優先して変換候補表示領域１２０に表示させる。
【００７８】
したがって、携帯電話機１は、起動される頻度の高いアプリケーションに対応する所定の文字列を優先させて変換候補表示領域１２０に表示させることができる。
【００７９】
なお、上述した実施形態では、本発明が携帯電話機１に適用される場合を例示して説明した。しかしながら、本発明は、この実施形態に限定されることはなく、例えば、ＰＨＳ（Ｐｅｒｓｏｎａｌ  Ｈａｎｄｙｐｈｏｎｅ  Ｓｙｓｔｅｍ）やＰＤＡ（Ｐｅｒｓｏｎａｌ  Ｄｉｇｉｔａｌ  Ａｓｓｉｓｔａｎｔ）等の電子機器にも適用することができる。
【符号の説明】
【００８０】
１  携帯電話機（電子機器）
１１  操作部
２１  表示部
４４  メモリ（記憶部）
４５  制御部
４５ａ  起動部
４５ｂ  解析部
【図１】
2011095817.tif 000003
【図２】
2011095817.tif 000004
【図３】
2011095817.tif 000005
【図４】
2011095817.tif 000006
【図５】
2011095817.tif 000007
【図６】
2011095817.tif 000008
【図７】
2011095817.tif 000009
【図８】
2011095817.tif 000010
【図９】
2011095817.tif 000011